(57)【要約】      （修正有）【課題】撮影位置の把握がより容易となる撮像装置を、提供する。【解決手段】デジタルカメラ１００は、ＣＣＤイメージセンサ１２０と、ＧＰＳモジュール１２５と、コントローラ１３０とを、備えている。ＣＣＤイメージセンサ１２０は、被写体を撮像して、撮像画像データを出力する。ＧＰＳモジュール１２５は、被写体を撮像する位置を、取得する。コントローラ１３０は、上記の位置を含む地図画像データを、属性画像データとして、地図データベースから取得する。また、コントローラ１３０は、撮像画像データ及び属性画像データを、１つのファイルに含めて記録する。【選択図】図３
2013165478.tif 000002
【特許請求の範囲】
【請求項１】
被写体を撮像して撮像画像データを出力する撮像部と、
前記被写体を撮像する位置を、取得する位置取得部と、
前記位置を含む地図画像データを、属性画像データとして、地図データベースから取得する属性画像データ取得部と、
前記撮像画像データ及び前記属性画像データを１つのファイルに含めて記録する記録部と、
を備える撮像装置。
【請求項２】
前記ファイルのフォーマットは、マルチピクチャフォーマットである、
請求項１に記載の撮像装置。
【請求項３】
前記属性画像データ取得部は、前記属性画像データの画素数を、前記撮像画像データの画素数より小さく設定する、
請求項１又は２に記載の撮像装置。
【請求項４】
前記位置を基準として所定の範囲に含まれる目印情報を、前記地図データベースから取得する目印情報取得部、
をさらに備え、
前記属性画像データ取得部は、前記位置及び前記目印情報に基づいて、前記地図画像データを前記地図データベースから取得する、
請求項１から３のいずれかに記載の撮像装置。
【請求項５】
前記属性画像データ取得部は、前記位置及び前記目印情報の位置を含む前記地図画像データを、前記地図データベースから取得する、
請求項４に記載の撮像装置。
【請求項６】
前記属性画像データ取得部は、前記位置と、前記目印情報の属性とに基づいて、前記地図画像データを前記地図データベースから取得する、
請求項４に記載の撮像装置。
【請求項７】
被写体を撮像して撮像画像データを出力する撮像部と、
１回の操作で生成された少なくとも１つの前記撮像画像データとは異なる画像データを、属性画像データとして取得する属性画像データ取得部と、
前記少なくとも１つの撮像画像データ及び前記属性画像データを、１つのファイルに含めて記録する記録部と、
を備える撮像装置。
【発明の詳細な説明】
【技術分野】
【０００１】
本発明は、撮影した画像と共に、その画像に関する付属データを関連付けて記録可能な撮像装置に関する。
【背景技術】
【０００２】
被写体を撮影して記録することが可能なデジタルカメラは、撮影した静止画や動画といった画像に対してその属性を示す付属データを付与して記録するものがある（例えば、特許文献１参照。）。
従来のデジタルカメラは、ＧＰＳ（Ｇｌｏｂａｌ  Ｐｏｓｉｔｉｏｎｉｎｇ  Ｓｙｓｔｅｍ）機能を、有している。このデジタルカメラは、画像を撮影したときにデジタルカメラの位置情報を取得し、この位置情報を付属データとして画像と共に記録する。これにより、画像を撮影したときの撮影位置を、記録することができる。
【先行技術文献】
【特許文献】
【０００３】
【特許文献１】特開平７−６４１６９号公報
【発明の概要】
【発明が解決しようとする課題】
【０００４】
従来のデジタルカメラは、画像と共に位置情報を記録できる。しかしながら、再生時において、単に緯度経度や地名が表示されるだけでは、撮影位置を把握しにくいという課題があった。一方で、ネットワークに接続し、撮影位置の周囲の地図をダウンロードして表示することも考えられる。しかし、デジタルカメラが、ネットワークに接続するための構成や環境を有していない場合には、撮影位置の周囲の地図を表示することができないという課題があった。
【０００５】
本開示は上記課題に鑑みてなされたものであり、本開示では、撮影位置を容易に把握できる撮像装置を、提供する。また、本開示では、ネットワークに接続することなく撮影位置を容易に把握できる撮像装置を、提供する。
【課題を解決するための手段】
【０００６】
本開示における撮像装置は、撮像部と、位置取得部と、属性画像データ取得部と、記録部とを、備えている。撮像部は、被写体を撮像して、撮像画像データを出力する。位置取得部は、被写体を撮像する位置を、取得する。属性画像データ取得部は、上記の位置を含む地図画像データを、属性画像データとして、地図データベースから取得する。記録部は、撮像画像データ及び属性画像データを、１つのファイルに含めて記録する。
【発明の効果】
【０００７】
本開示における撮像装置では、撮影位置を容易に把握することができる。また、本開示における撮像装置では、ネットワークに接続することなく撮影位置を容易に把握することができる。
【図面の簡単な説明】
【０００８】
【図１】実施の形態１に係るデジタルカメラ１００の前面構成図
【図２】実施の形態１に係るデジタルカメラ１００の背面構成図
【図３】実施の形態１に係るデジタルカメラ１００の電気的構成図
【図４】実施の形態１に係る撮影モードにおける処理の流れを示すフローチャート
【図５】実施の形態１に係る静止画撮影処理の流れを示すフローチャート
【図６】実施の形態１に係る静止画再生時の画面表示の一例を示す図
【図７】他の実施の形態に係るデジタルカメラ１００の電気的構成図
【発明を実施するための形態】
【０００９】
〔実施の形態１〕
実施の形態１のデジタルカメラ１００は、デジタルカメラ１００の位置を取得することが可能である。デジタルカメラ１００は、静止画の撮影時に、撮影位置を含む地図データを地図データベースから取得して、地図画像データ（属性画像データの一例）を生成し、静止画の画像データと地図画像データとを１つのファイルに含めて記録する。以下、デジタルカメラ１００の構成及び動作を説明する。
【００１０】
〔１．構成〕
以下、図を用いてデジタルカメラ１００の構成を説明する。
〔１−１．デジタルカメラ１００の構成〕
図１は、デジタルカメラ１００の前面構成図である。デジタルカメラ１００は、前面に、光学系１１０を納める鏡筒やフラッシュ１６０を、備える。また、デジタルカメラ１００は、上面に、静止画レリーズ釦２０１、ズームレバー２０２、及び電源釦２０３などの操作釦を、備える。
【００１１】
図２は、デジタルカメラ１００の背面構成図である。デジタルカメラ１００は、背面に、液晶モニタ１２３、中央釦２０４、十字釦２０５、動画レリーズ釦２０６、及びモード切替スイッチ２０７などの操作釦を、備える。
図３は、デジタルカメラ１００の電気的構成図である。デジタルカメラ１００では、光学系１１０を介して形成された被写体像が、ＣＣＤイメージセンサ１２０によって撮像される。ＣＣＤイメージセンサ１２０は、撮像した被写体像に基づいて、画像データを生成する。撮像により生成された画像データは、ＡＦＥ（Ａｎａｌｏｇ  Ｆｒｏｎｔ  Ｅｎｄ）１２１や画像処理部１２２において、各種処理が施される。生成された画像データは、フラッシュメモリ１４２やメモリカード１４０に、記録される。フラッシュメモリ１４２やメモリカード１４０に記録された画像データは、使用者による操作部１５０の操作を受け付けて、液晶モニタ１２３上に表示される。以下では、図１から図３に示す各構成の詳細を説明する。
【００１２】
光学系１１０は、フォーカスレンズ１１１、ズームレンズ１１２、絞り１１３、シャッター１１４等により、構成される。図示していないが、光学系１１０は、光学式手ぶれ補正（ＯＩＳ：Ｏｐｔｉｃａｌ  Ｉｍａｇｅ  Ｓｔａｂｉｌｉｚｅｒ）レンズを、含んでいてもよい。なお、光学系１１０を構成する各種レンズは、何枚で構成されていてもよい。また、光学系１１０を構成する各種レンズは、何群から構成されていてもよい。
【００１３】
フォーカスレンズ１１１は、被写体のフォーカス状態の調節に用いられる。ズームレンズ１１２は、被写体の画角の調節に用いられる。絞り１１３は、ＣＣＤイメージセンサ１２０に入射する光量の調節に用いられる。シャッター１１４は、ＣＣＤイメージセンサ１２０に入射する光の露出時間を、調節する。フォーカスレンズ１１１、ズームレンズ１１２、絞り１１３、シャッター１１４は、それぞれに対応したＤＣモータやステッピングモータ等の駆動手段により、コントローラ１３０から通知された制御信号に従って、駆動される。
【００１４】
ＣＣＤイメージセンサ１２０は、光学系１１０を通して形成された被写体像を撮像して画像データを生成する。ＣＣＤイメージセンサ１２０は、デジタルカメラ１００が撮影モードにあるときに、一定時間ごとに、新しいフレームの画像データを、生成することができる。
ＡＦＥ１２１では、ＣＣＤイメージセンサ１２０から読み出された画像データに対して、各種処理が施される。各種処理には、相関二重サンプリングによる雑音抑圧、アナログゲインコントローラによるＡ／Ｄコンバータの入力レンジ幅への増幅、Ａ／ＤコンバータによるＡ／Ｄ変換等が、含まれる。その後、ＡＦＥ１２１は、画像データを画像処理部１２２に出力する。
【００１５】
画像処理部１２２は、ＡＦＥ１２１から出力された画像データに対して、各種の処理を施す。各種処理としては、スミア補正、ホワイトバランス補正、ガンマ補正、ＹＣ変換処理、電子ズーム処理、圧縮処理、伸張処理等が、挙げられるが、これらに限定されるものではない。画像処理部１２２は、各種処理を施した画像情報を、バッファメモリ１２４に記憶する。画像処理部１２２は、ハードワイヤードな電子回路で構成してもよいし、プログラムを用いたマイクロコンピュータなどで構成してもよい。また、画像処理部１２２は、コントローラ１３０などと共に、１つの半導体チップで構成してもよい。
【００１６】
液晶モニタ１２３は、デジタルカメラ１００の背面に備わる。液晶モニタ１２３は、画像処理部１２２にて処理された画像データに基づいて、画像を表示する。液晶モニタ１２３が表示する画像には、スルー画像や記録画像がある。スルー画像は、ＣＣＤイメージセンサ１２０により一定時間ごとに生成される新しいフレームの画像データを連続的に表示する画像である。通常は、デジタルカメラ１００が撮影モードにあるときに、画像処理部１２２が、ＣＣＤイメージセンサ１２０の生成した画像データに基づいて、スルー画像を生成する。使用者は、液晶モニタ１２３に表示されるスルー画像を、参照することにより、被写体の構図を確認しながら撮影できる。記録画像は、デジタルカメラ１００が再生モードにあるときに、メモリカード１４０等に記録された高画素の画像データを液晶モニタ１２３に表示するために低画素に縮小した画像である。メモリカード１４０に記録される高画素の画像データは、使用者によるレリーズ釦２０１の操作を受け付けた後に、ＣＣＤイメージセンサ１２０が生成した画像データに基づいて、画像処理部１２２により生成される。
【００１７】
ＧＰＳ（Ｇｌｏｂａｌ  Ｐｏｓｉｔｉｏｎｉｎｇ  Ｓｙｓｔｅｍ）モジュール１２５は、ＧＰＳ衛星からの信号を受信し、受信した信号を使ってデジタルカメラ１００の位置情報を計算する。受信した信号を使って位置情報を計算することを、“測位する”、と呼ぶ。ＧＰＳモジュールは、デジタルカメラ１００に電源が入っている状態では、定期的に測位を行い、測位を実行した時点で、コントローラ１３０に通知を行う。コントローラ１３０は通知を受け取ると、測位結果としての位置情報を、ＧＰＳモジュール１２５から取得する。そして、コントローラ１３０は、この位置情報を、バッファメモリ１２４の中に格納する。
【００１８】
コントローラ１３０は、デジタルカメラ１００全体の動作を統括制御する。また、コントローラ１３０は、画像処理部１２２で処理された後にバッファメモリ１２４に記憶された画像データを、メモリカード１４０等の記録媒体へ、記録する。コントローラ１３０は、プログラムや地図データベース１３１（後述）等の情報を格納するＲＯＭや、プログラムを実行することにより各種情報を処理するＣＰＵなどにより、構成される。ＲＯＭは、ファイル制御、オートフォーカス制御（ＡＦ制御）、自動露出制御（ＡＥ制御）、フラッシュ１６０の発光制御等に関するプログラムを、格納している。また、ＲＯＭは、デジタルカメラ１００全体の動作を統括制御するためのプログラムを、格納している。
【００１９】
地図データベース１３１は、コントローラ１３０のＲＯＭに含まれるデータである。コントローラ１３０は、位置情報によって指定される地点や縮尺を基にして、地図データベース１３１から必要な地図データを読み出して、地図画像データを生成することができる。地図画像データは、液晶モニタ１２３に表示可能である。また、地図画像データは、撮影した画像と共に、画像データとして保存可能である。
【００２０】
コントローラ１３０は、ハードワイヤードな電子回路で構成してもよいし、マイクロコンピュータなどで構成してもよい。また、コントローラ１３０は、画像処理部１２２などと共に１つの半導体チップで構成してもよい。また、ＲＯＭは、コントローラ１３０の内部構成である必要はなく、コントローラ１３０の外部に備わっていてもよい。
バッファメモリ１２４は、画像処理部１２２やコントローラ１３０のワークメモリとして機能する記憶手段である。バッファメモリ１２４は、ＤＲＡＭ（Ｄｙｎａｍｉｃ  Ｒａｎｄｏｍ  Ａｃｃｅｓｓ  Ｍｅｍｏｒｙ）などで実現できる。また、フラッシュメモリ１４２は、画像データ及びデジタルカメラ１００の設定情報等を記録するための内部メモリとして、機能する。
【００２１】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
メモリカード１４０は、内部にフラッシュメモリ等の記録部を備えた外部メモリである。メモリカード１４０は、画像処理部１２２で処理される画像データなどのデータを記録可能である。
【００２２】
操作部１５０は、デジタルカメラ１００の外装に備わっている操作釦や操作ダイヤル等の総称である。操作部１５０は、使用者による操作を受け付ける。例えば、図１や図２に示すように、操作部１５０は、静止画レリーズ釦２０１、動画レリーズ釦２０６、ズームレバー２０２、電源釦２０３、中央釦２０４、十字釦２０５、モード切替スイッチ２０７等を、含んでいる。操作部１５０は、使用者による操作を受け付けると、コントローラ１３０に種々の動作指示信号を、通知する。
【００２３】
静止画レリーズ釦２０１は、半押し状態と全押し状態の二段階押下式釦である。静止画レリーズ釦２０１が使用者により半押しされると、コントローラ１３０は、ＡＦ（Ａｕｔｏ  Ｆｏｃｕｓ）制御や、ＡＥ（Ａｕｔｏ  Ｅｘｐｏｓｕｒｅ）制御を実行し、撮影条件を決定する。続いて、静止画レリーズ釦２０１が、使用者により全押しされると、コントローラ１３０は、撮影処理を行う。コントローラ１３０は、全押しのタイミングに撮像された画像データを静止画として、メモリカード１４０等に記録する。以下、単に静止画レリーズ釦２０１を押下すると記載する場合は、全押しを示すものとする。
【００２４】
動画レリーズ釦２０６は、動画記録の開始／終了を指示するための押下式釦である。動画レリーズ釦２０６が使用者によって押下されると、コントローラ１３０は、ＣＣＤイメージセンサ１２０が生成した画像データに基づいて、画像処理部１２２により生成された画像データを、動画として、順次メモリカード１４０等の記録媒体に記録する。再度、動画レリーズ釦２０６を押下すると、動画の記録が終了する。
【００２５】
ズームレバー２０２は画角を広角端と望遠端との間で調節するための中央位置自己復帰式のレバーである。ズームレバー２０２は、使用者により操作されるとコントローラ１３０にズームレンズ１１２を駆動するための動作指示信号を、通知する。すわなち、ズームレバー２０２が広角端側に操作されると、コントローラ１３０は、被写体を広角で捉えられるように、ズームレンズ１１２を駆動する。同様に、ズームレバー２０２が望遠端側に操作されると、コントローラ１３０は、被写体を望遠で捉えられるように、ズームレンズ１１２を駆動する。
【００２６】
電源釦２０３は、デジタルカメラ１００を構成する各部への電力供給をＯＮ／ＯＦＦするための押下式釦である。電源ＯＦＦ時に電源釦２０３が使用者により押下されると、コントローラ１３０は、デジタルカメラ１００を構成する各部に電力を供給し、各部を起動させる。また、電源ＯＮ時に電源釦２０３が使用者により押下されると、コントローラ１３０は、各部への電力供給を停止する。
【００２７】
中央釦２０４は、押下式釦である。デジタルカメラ１００が撮影モードあるいは再生モードにあるときに、中央釦２０４が使用者により押下されると、コントローラ１３０は、液晶モニタ１２３にメニュー画面を表示する。メニュー画面は、撮影／再生のための各種条件を設定するための画面である。メニュー画面で設定された情報は、フラッシュメモリ１４２に記録される。各種条件の設定項目が選択されているときに押下されると、中央釦２０４は、決定釦としても機能する。
【００２８】
十字釦２０５は、上下左右方向に設けられた押下式釦である。使用者は、十字釦２０５のいずれかの方向を押下することにより、液晶モニタ１２３に表示される各種条件項目を選択することができる。
モード切替スイッチ２０７は、上下方向に設けられた押下式釦である。使用者は、モード切替スイッチ２０７のいずれかの方向を押下することにより、デジタルカメラ１００の状態を、撮影モード又は再生モードに切り替えることができる。
【００２９】
なお、ＣＣＤイメージセンサ１２０は、撮像部の一例である。ＧＰＳモジュール１２５は、位置取得部の一例である。コントローラ１３０は、属性画像データ取得部の一例である。コントローラ１３０は、記録部の一例である。
〔２．動作〕
〔２−１．デジタルカメラ１００の撮影動作〕
デジタルカメラ１００の撮影制御について説明する。デジタルカメラ１００は、撮影した画像データ（以下、撮影画像データと呼ぶ）と、撮影画像データに対する付属データである撮影地点周辺の地図画像データとを、１つのファイルに合成する処理を、行う。図４は、デジタルカメラ１００の撮影モード時の撮影制御のフローチャートである。ここでは、静止画の撮影について説明する。なお、デジタルカメラ１００は、撮影モードにおいて、静止画の撮影だけでなく、動画の撮影を行うこともできる。
【００３０】
コントローラ１３０は、デジタルカメラ１００が使用者のモード切替スイッチ２０７の操作により撮影モードに移行したときに、静止画記録に必要な初期化処理を行う（Ｓ４０１）。初期化処理においては、記録に必要な初期化処理が実行され、ＧＰＳモジュール１２５の起動処理が実行される。ＧＰＳモジュール１２５の起動処理が実施されると、ＧＰＳモジュール１２５は、バックグラウンドで位置情報を定期的に測位し、この位置情報をコントローラ１３０に通知する。コントローラ１３０は、ＧＰＳモジュール１２５から通知を受け取ると、撮影画像データを記録する際に生成されるファイルに、測位した位置情報を記録できるように、バッファメモリ１２４に格納する。
【００３１】
初期化処理が完了した後、コントローラ１３０は、使用者からの入力確認処理や表示処理を繰り返す。使用者からの入力確認処理や表示処理には、モード切替スイッチ２０７の状態の確認（Ｓ４０３）、スルー画像の表示（Ｓ４０８）、及び静止画レリーズ釦２０１の押下の監視（Ｓ４０９）が、含まれる。
ステップＳ４０３において、モード切替スイッチ２０７の状態が、撮影モードでなければ、コントローラ１３０は、撮影モードの処理を終了する。コントローラ１３０は、表示に関して、現在設定されている設定値に応じてスルー画像の表示処理を行う（Ｓ４０８）。また、ステップＳ４０９において静止画レリーズ釦２０１の押下を検知すると、静止画撮影処理を行う（Ｓ４１１）。なお、静止画撮影処理の詳細については、図５のフローチャートを用いて後述する。
【００３２】
ステップＳ４０９において静止画レリーズ釦２０１の押下が検知されなかったとき、コントローラ１３０は、ステップＳ４０３からの処理を、繰り返し実行する。また、ステップＳ４１１の静止画撮影処理が終了した場合、コントローラ１３０は、ステップＳ４０３からの処理を繰り返し実行する。
図５は、静止画撮影処理の流れを示すフローチャートである。コントローラ１３０は、使用者による静止画レリーズ釦２０１の押下を検知すると、静止画レリーズ釦２０１が押下されたタイミングにおいて、ＣＣＤイメージセンサ１２０が生成した画像データに基づいて、画像処理部１２２により生成される静止画を、撮影画像データとして、バッファメモリ１２４に格納する（Ｓ８０３）。次に、コントローラ１３０は、ＧＰＳの位置情報を、撮影地点の情報として利用するために、バッファメモリ１２４から読み出す（Ｓ８０５）。さらに、コントローラ１３０は、バッファメモリ１２４から読み出した位置情報を中心として、撮影画像データと共に保存する地図画像データを、生成する（Ｓ８０７）。具体的には、コントローラ１３０が、位置情報を中心とした地図データを地図データベース１３１から読み出して、所定の縮尺及びデータサイズに従って、地図画像データを生成する。ここでは、地図画像データは、撮影地点とその周辺地図が確認できる程度の画質に設定されている。なお、地図画像データの画素数及びデータサイズを、撮影画像データよりも小さくすることにより、撮影画像データに地図画像データを含めたとしても、ファイルサイズを小さくすることができる。
【００３３】
なお、ここでは、地図画像データの設定情報（撮影地点、縮尺、及びデータサイズ）が、設定済みである場合の例を示したが、設定情報は、撮影前または撮影時にユーザにより選択させてもよい。
最後に、コントローラ１３０は、生成された撮影画像データと地図画像データとを、１つのファイルに格納して、メモリカード１４０などの記録媒体に記録する（Ｓ８０９）。たとえば、１つのファイルに格納するためのフォーマットを、ＭＰＯ（Ｍｕｌｔｉ  Ｐｉｃｔｕｒｅ  Ｏｂｊｅｃｔ）形式として、撮影画像データと地図画像データとを、１つのファイルに格納してもよい。ＭＰＯ形式を利用する場合、撮影画像データ及び地図画像データは、互いに独立の関係になる。このため、撮影画像データ及び地図画像データそれぞれを、主画像として扱い、「未定義」の画像種別として扱うことによって、ＭＰＯ形式のファイルが実現される。
【００３４】
また、たとえば、ＭＰＯ形式を利用して撮影画像データと地図画像データとを１つのファイルに格納する場合、撮影画像データ及び地図画像データは、ＪＰＥＧ形式としてもよい。また、撮影画像データと地図画像データとを格納するファイルとして、ＪＰＥＧ形式との互換を優先する場合は、地図画像データを、ＥＸＩＦ（Ｅｘｃｈａｎｇｅａｂｌｅ  Ｉｍａｇｅ  Ｆｉｌｅ  Ｆｏｒｍａｔ）ヘッダに埋め込んでもよい。この場合、多くの機器において、撮影画像データを再生することができる。また、ＥＸＩＦヘッダに含まれる地図画像データを読み出し可能な機器では、地図画像データを直接的に読み出すことができる。
【００３５】
以上のように、撮影画像データと、撮影画像データの付属データとして生成された地図画像データを１つのファイルに格納することにより、画像データ同士の関連付けを管理する管理情報ファイル等を、別途作成する必要がない。また、付属データである地図画像データは、その目的から判断すると、高画質な画像である必要性が低い。このため、地図画像データの画素数及びデータサイズを、撮影画像データのそれよりも小さくすることにより、生成されるファイルサイズへの影響を抑えることができる。また、撮影画像データを撮影した地点を含む地図画像データを、撮影画像データと共に記録することにより、ユーザは、外部の地図サーバ等にアクセスできないようなときであっても、このファイル内の地図画像データを表示するだけで、撮影画像データを撮影した地点を、地図上で確認できる。また、この場合、撮影地点及び撮影地点の周囲を同時に地図上で確認できるため、後日、撮影画像データを撮影した地点を、思い出すことが容易である。
【００３６】
〔２−２．デジタルカメラ１００の再生動作〕
デジタルカメラ１００の再生動作について説明する。デジタルカメラ１００は、ステップＳ８０９で記録された複数画像データを１つのファイルとして記録したファイルを、メモリカード１４０から読み出して、液晶モニタ１２３に表示する。具体的には、コントローラ１３０は、該当ファイルをメモリカード１４０から読み出して、このファイルに含まれる撮影画像データと地図画像データとを、バッファメモリ１２４上に展開する。次に、バッファメモリ１２４上に展開した、撮影画像データと地図画像データとを、液晶モニタ１２３に整形して表示する。図６は、再生時に該ファイルを読み出して液晶モニタ１２３に表示したときの一例を示す図である。
【００３７】
撮影画像６０１は、デジタルカメラ１００により生成された撮影画像データに対応する画像である。付属データ画像６０２は、撮影時に地図データベース１３１を利用して生成された地図画像データに対応する画像である。なお、画像を表示する際の表示比率としては、画素数の比率を基準として、表示サイズを決定してもよい。
〔３．まとめ〕
以上のように、本実施の形態のデジタルカメラ１００は、ＣＣＤイメージセンサ１２０と、ＧＰＳモジュール１２５と、コントローラ１３０とを、備えている。ＣＣＤイメージセンサ１２０は、被写体を撮像して、撮像画像データを出力する。ＧＰＳモジュール１２５は、被写体を撮像する位置を、取得する。コントローラ１３０は、上記の位置を含む地図画像データを、付属画像データとして、地図データベースから取得する。また、コントローラ１３０は、撮像画像データ及び付属画像データを、１つのファイルに含めて記録する。
【００３８】
この構成により、撮影画像データと、撮影画像データの付属データである地図画像データとを、１つのファイルに合成することができる。したがって、再生時には、撮影画像と付属データの組として液晶モニタ１２３に表示することができる。また、デジタルカメラがネットワークに接続不能であったとしても、このファイルを再生することによって、撮影画像と付属データとを液晶モニタ１２３に表示することができる。さらに、他の端末に画像を持っていった場合、合成したファイルのフォーマットに対応していれば、管理情報ファイルなどを扱うことなく関連した情報を容易に表示することができる。
【００３９】
〔４．他の実施の形態〕
本開示の技術は、上記実施の形態に限定されず、種々の実施形態が考えられる。以下に、他の実施の形態について記載する。
（Ａ）上記実施の形態では、地図画像データが付属データとして記録される場合の例を示したが、付属データは、他のデータであってもよい。この場合、コントローラ１３０は、まず、付属データを撮影画像データに合成するメニュー画面を、液晶モニタ１２３に表示する。次に、コントローラ１３０は、メニュー画面において、ユーザが選択した画像データ（付属データ）を、撮影画像データと合成してもよい。より具体的には、まず、撮影画像データが、一時的に単独で記録される。次に、写真合成メニューにおいて、対象の撮影画像データに対して、合成する画像データを、ユーザが選択する。最後に、これらの画像データが、合成される。これにより、実施の形態１と同様に、撮影画像データと付属データとを１つのファイルにまとめることができる。
【００４０】
また、地図画像データ以外の付属データの合成方法として、撮影時に合成するようにしてもよい。具体的には、まず、撮影が実行され、撮影画像データが生成される。続けて、付属データの撮影が行われる。最後に、これらを合成することで、１つのファイルを形成することができる。例えば、風景や建物を撮影した後に、それに関する説明が描かれた看板やパンフレットを撮影することにより、これらの画像データを１つのファイルとして記録する。
【００４１】
（Ｂ）上記実施の形態では付属データが１つの場合の例を示したが、複数個の付属データが用いられてもよい。その場合は、複数枚の付属データの画像選択（または撮影）が、ユーザにより実行される。また、付属データとして地図画像を用いる場合、複数の縮尺で生成された地図画像を、合成してもよい。
（Ｃ）上記実施の形態では、撮影画像データと付属データ（地図画像データ）とを１つのファイルに合成する場合の例を示した。これに代えて、地図画像データはインターネット上等にアップロードし、撮影画像データにはＵＲＬ（Ｕｎｉｆｏｒｍ  Ｒｅｓｏｕｒｃｅ  Ｌｏｃａｔｏｒ）を付属データとして記録するようにしてもよい。この場合、再生する際に、アップロードした画像データを、上記ＵＲＬからダウンロードして表示したり、液晶モニタ１２３にＵＲＬを表示し付属データの有無を報知したりしてもよい。たとえば、地図画像データが示す地図中にランドマークが含まれている場合、付属データは、そのランドマークに対する地点情報、名称情報、及び観光情報などを、含んでいてもよい。
【００４２】
（Ｄ）上記実施の形態では、地図画像データの縮尺が所定の値である場合の例を示したが、地図画像データの縮尺は、周辺のランドマークを考慮して決定してもよい。例えば、撮影を行った際に、フラッシュメモリ１４２から位置情報を取得する。この位置情報に最も近い位置にあるランドマーク情報（目印情報の一例）を、地図データベース１３１から検索する。そして、位置情報が示す地点（撮影地点）と、ランドマークＬの位置とが共に地図上に存在するように縮尺を決定し、両者を含む地図データを抽出する。この機能は、コントローラ１３０（目印情報取得部の一例）によって実現される。これにより、地図画像を表示させたときに、撮影地点Ｓと最寄りのランドマークＬとが同時に表示される（図６を参照）。このため、ユーザが地図を確認したときに、どの場所で撮影したかを把握することが容易となる。
【００４３】
（Ｅ）上記の実施の形態では、地図画像データの縮尺が所定の値である場合の例を示したが、地図画像データの縮尺は、周辺のランドマークを考慮して決定してもよい。例えば、図７に示すように、撮影を行った際に、フラッシュメモリ１４２から位置情報を取得する。この位置情報に最も近い位置にあるランドマーク情報（目印情報の一例）を、地図データベース１３１から検索する。そして、このランドマーク情報に対応するランドマーク属性（ex. 遠景・近景等）が、ランドマークデータベース１３２に基づいて、コントローラ１３０に認識される。すると、ランドマーク属性に基づいて、地図画像データの縮尺が設定される。この機能は、図７に示すコントローラ１３０（目印情報取得部の一例）によって実現される。なお、図７の構成は、ランドマークデータベース１３２以外は、図３の構成と同じである。構成が同じものについては、同じ符号を付している。
【００４４】
例えば、あるランドマーク情報が検出されると、このランドマーク情報が示すランドマークが、遠景属性を有しているか近景属性を有しているかが、コントローラ１３０に認識される。そして、ランドマーク属性が遠景属性である場合は、地図が広域地図となるように、地図画像データの縮尺が設定される。一方で、ランドマーク属性が近景属性である場合は、地図が詳細地図となるように、地図画像データの縮尺が設定される。
【００４５】
これにより、地図画像を表示させたときに、撮影地点Ｓと最寄りのランドマークＬとが同時に表示される（図６は広域地図の一例）。このため、ユーザが地図を確認したときに、どの場所で撮影したかを把握することが容易となる。
なお、ランドマークデータベース１３２は、コントローラ１３０のＲＯＭに格納されている。また、ランドマーク情報とランドマーク属性とは、互いに関連付けられている。
【００４６】
（Ｆ）上記実施の形態では、撮影する撮影画像データは静止画である例を説明したが、撮影画像データは動画であってもよい。この場合、撮影画像データ（撮影動画データ）と共に記録する地図画像データは、動画の撮影開始地点を示す地図であってもよいし、撮影終了地点を示す地図であってもよい。また、この地図画像データは、撮影中に一定時間毎に位置情報を取得し、複数の地点の少なくともいずれか１つを含むような地図であってもよい。
【産業上の利用可能性】
【００４７】
本開示の技術は、撮影位置をより容易に把握できる撮像装置に対して、適用可能である。例えば、デジタルスチルカメラ、ムービー、携帯電話、スマートフォン、モバイルＰＣ等にも適用できる。
【符号の説明】
【００４８】
１００  デジタルカメラ
１１１  フォーカスレンズ
１１２  ズームレンズ
１１３  絞り
１１４  シャッター
１２０  ＣＣＤイメージセンサ
１２１  ＡＦＥ（Ａｎａｌｏｇ  Ｆｒｏｎｔ  Ｅｎｄ）
１２２  画像処理部
１２３  液晶モニタ
１２４  バッファメモリ
１２５  ＧＰＳモジュール
１３０  コントローラ
１３１  地図データベース
１４０  メモリカード
１４１  カードスロット
１４２  フラッシュメモリ
１５０  操作部
１６０  フラッシュ
２０１  静止画レリーズ釦
２０２  ズームレバー
２０３  電源釦
２０４  中央釦
２０５  十字釦
２０６  動画レリーズ釦
２０７  モード切替スイッチ
【図１】
2013165478.tif 000003
【図２】
2013165478.tif 000004
【図３】
2013165478.tif 000005
【図４】
2013165478.tif 000006
【図５】
2013165478.tif 000007
【図６】
2013165478.tif 000008
【図７】
2013165478.tif 000009